(57)【要約】【課題】小型化されたリザーブタンクであっても、リザーブタンクからの水漏れを防止できる車両用リザーブタンクを提供すること。【解決手段】リザーブタンク１によれば、本体部２の内部に設けられ、外周部８ａが注水口３Ａの内壁面３ａに密着するシール部材８を有し、シール部材８の下部に、シール部材８の外周部８ａよりも中心部８ｃが鉛直方向で低くなる傾斜壁８Ａが形成され、傾斜壁８Ａの中心部８ｃで、かつ、鉛直方向の最下部に、傾斜壁８Ａの上面８ｅ側と下面８ｆ側とを連通する連通穴８ｄが形成される。【選択図】図３
2017008852.tif 000002
【特許請求の範囲】
【請求項１】
冷却水を貯留する本体部と、前記本体部の上部に設けられた注水口と、前記注水口に着脱自在に設けられ、前記本体部の内部と外部とを連通する大気開放通路を有するキャップとを備え、車両に搭載される車両用リザーブタンクであって、
前記本体部の内部に設けられ、外周部が前記注水口の内壁面に密着するシール部材を有し、
前記シール部材の下部に、前記シール部材の外周部よりも中心部が鉛直方向で低くなる傾斜壁が形成され、
前記傾斜壁の中心部で、かつ、鉛直方向の最下部に、前記シール部材の上面側と下面側とを連通する連通穴が形成されることを特徴とする車両用リザーブタンク。
【請求項２】
前記シール部材の上面に壁部が形成され、
前記壁部は、前記シール部材の上面から前記連通穴と前記大気開放通路との間の空間に突出することを特徴とする請求項１に記載の車両用リザーブタンク。
【請求項３】
前記大気開放通路は、前記本体部の内部に開口する開口端を有し、
前記シール部材の上面に突部が形成され、
前記突部は、前記シール部材の上面から前記大気開放通路の前記開口端に向かって突出することを特徴とする請求項１または請求項２に記載の車両用リザーブタンク。
【請求項４】
前記傾斜壁は、前記シール部材の外周部よりも中心部が鉛直方向で低くなるように、前記外周部から前記中心部に向かって傾斜する傘形状に形成されることを特徴とする請求項１ないし請求項３のいずれか１項に記載の車両用リザーブタンク。
【発明の詳細な説明】
【技術分野】
【０００１】
本発明は、車両用リザーブタンクに関し、特に、車両に搭載されるラジエータに接続され、ラジエータに供給される冷却水を貯留する車両用リザーブタンクに関する。
【背景技術】
【０００２】
自動車等の車両には内燃機関を冷却するためのラジエータが搭載されており、内燃機関とラジエータとは、配管によって連結されることで冷却水を循環するための冷却水通路が構成されている。
【０００３】
冷却水通路には冷却水の温度変化によって生じる冷却水の体積の増減に対応するため、あるいは、冷却水が減少したときに冷却水の補充を行うために、冷却水を貯留するリザーブタンクが設けられている。リザーブタンクは、冷却水を貯留するための内部の空間を大気圧にするために、リザーブタンクの上面に、リザーブタンクの内部の空間と外部とを連通する大気開放通路が設けられている。
【０００４】
従来、このような構成を有する車両用リザーブタンクでは、車両の急発進、急停止および悪路走行等によって車体の揺動が大きい場合にリザーブタンクの内部で冷却水が揺動する。この揺動した冷却水は、大気開放通路に浸入し、大気開放通路から水漏れが発生するおそれがある。
特に、リザーブタンクが上下方向に短くなるように小型化された場合には、冷却水の水面と大気開放通路との距離が短いため、大気開放通路から冷却水がより漏れ易い。
【０００５】
これに対して、冷却水の水面と大気開放通路との距離を長くすることで、水漏れを防止することができる反面、リザーブタンクが上下方向に長くなり大型化してしまう。したがって、リザーブタンクを小型化したままで水漏れを防止することができない。
【０００６】
従来、リザーブタンクを小型化しつつ水漏れを防止するものとしては、リザーブタンクの大気開放通路とリザーブタンクに貯留される冷却水の水面との間に皿状のダンパを設置したものが知られている（例えば、特許文献１参照）。
このリザーブタンクにあっては、リザーブタンク内で冷却水が揺動した場合に冷却水をダンパの底面に衝突させることで、冷却水が大気開放通路から外部へ漏れることを防止できる。
【先行技術文献】
【特許文献】
【０００７】
【特許文献１】実公昭６３−４９５３８号公報
【発明の概要】
【発明が解決しようとする課題】
【０００８】
このような従来の車両用リザーブタンクは、リザーブタンクの大気開放通路とリザーブタンクに貯留される冷却水の水面との間に皿状のダンパが設置されるので、リザーブタンク内で冷却水がダンパの上面に溜まるおそれがある。
【０００９】
これにより、ダンパの上面に溜まった冷却水が大気開放通路から漏れるおそれがある。ダンパの上面に溜まった冷却水が大気開放通路から漏れることを防止するには、ダンパと大気開放通路との距離を大きくすることが考えられる。
ところが、ダンパと大気開放通路との距離を大きくすると、リザーブタンクが上下方向に長くなり大型化してしまい、好ましくない。
【００１０】
本発明は、上記のような問題点に着目してなされたものであり、小型化されたリザーブタンクであっても、リザーブタンクからの水漏れを防止できる車両用リザーブタンクを提供することを目的とするものである。
【課題を解決するための手段】
【００１１】
本発明は、冷却水を貯留する本体部と、本体部の上部に設けられた注水口と、注水口に着脱自在に設けられ、本体部の内部と外部とを連通する大気開放通路を有するキャップとを備え、車両に搭載される車両用リザーブタンクであって、本体部の内部に設けられ、外周部が注水口の内壁面に密着するシール部材を有し、シール部材の下部に、シール部材の外周部よりも中心部が鉛直方向で低くなる傾斜壁が形成され、傾斜壁の中心部で、かつ、鉛直方向の最下部に、シール部材と上面側と下面側とを連通する連通穴が形成されるものから構成されている。
【発明の効果】
【００１２】
このように上記の本発明によれば、冷却水の水面と大気開放通路との距離が短くても、揺動した冷却水をシール部材の傾斜壁に衝突させて落下させることで、大気開放通路から冷却水が漏れることを防止でき、リザーブタンクを小型化できる。
【図面の簡単な説明】
【００１３】
【図１】図１は、本発明の車両用リザーブタンクの一実施の形態を示す図であり、リザーブタンクの正面図である。
【図２】図２は、本発明の車両用リザーブタンクの一実施の形態を示す図であり、リザーブタンクの上面図である。
【図３】図３は、本発明の車両用リザーブタンクの一実施の形態を示す図であり、図２のIII−III方向矢視断面図である。
【図４】図４は、本発明の車両用リザーブタンクの一実施の形態を示す図であり、図２のIＶ−IＶ方向矢視断面図である。
【図５】図５は、本発明の車両用リザーブタンクの一実施の形態を示す図であり、シール部材の正面図である。
【図６】図６は、本発明の車両用リザーブタンクの一実施の形態を示す図であり、シール部材の上面図である。
【発明を実施するための形態】
【００１４】
以下、本発明に係る車両用リザーブタンクの実施の形態について、図面を用いて説明する。
図１〜図６は、本発明に係る一実施の形態の車両用リザーブタンクを示す図である。なお、図１〜図６において、左右前後方向は、運転席から見た車両の左右前後方向を表す。
【００１５】
まず、構成を説明する。
図１、図２において、リザーブタンク１は、冷却水が貯留される本体部２を備えており、本体部２は、自動車等の車両に搭載された図示しないラジエータに装着される。ラジエータは、図示しないホースを介して図示しないエンジンに接続されている。ラジエータは、冷却水と外気とを熱交換し、低温の冷却水をエンジンに供給することでエンジンを冷却する。
【００１６】
本体部２に貯留される冷却水は、冷却水が冷えた状態でＦＵＬＬレベル２ａとＬＯＷレベル２ｂとの間に水面Ｗが位置する高さに調整される。本実施の形態では、規定量の冷却水としてＦＵＬＬレベル２ａとなるように冷却水が貯留される。
【００１７】
本体部２の上部には筒状の円筒部３が設けられており、円筒部３の上部には本体部２に冷却水を注入するための注水口３Ａが形成されている（図３、図４参照）。すなわち、本実施の形態の注水口３Ａは、本体部２の上部に設けられている。
【００１８】
注水口３Ａにはキャップ４が着脱自在に設けられており、キャップ４には大気開放パイプ５および連通パイプ６が設けられている。ここで、注水口３Ａからキャップ４を取り外すと、注水口３Ａを通して本体部２の内部に冷却水を補充することができる。
【００１９】
図３において、大気開放パイプ５は、キャップ４と一体で形成されており、大気開放パイプ５は、本体部２の内部に開口する開口端５ａと外部に開口する開口端５ｂとを有する大気開放通路５ｃを備えている。
大気開放パイプ５は、大気開放通路５ｃを通して本体部２の内部と外部とを連通することで、本体部２の内部を大気圧に維持する。
【００２０】
連通パイプ６は、キャップ４と一体に形成されており、連通パイプ６の内部には本体部２の内部と外部とを連通する連通路６Ａが形成されている。本体部２の外部側に位置する連通パイプ６の一端部には外部ホース１１の一端部が接続されており、外部ホース１１の他端部は、ラジエータの図示しない圧力キャップの取付部近傍に接続されている。
【００２１】
本体部２の内部側に位置する連通パイプ６の他端部には内部ホース７の一端部が接続されている。内部ホース７は、本体部２の内部に設置されており、内部ホース７の他端部は、ＬＯＷレベル２ｂよりも鉛直方向下方に延びている。
【００２２】
圧力キャップは、図示しない加圧弁および負圧弁を備えている。加圧弁は、エンジン、ラジエータ、エンジンとラジエータとを接続する図示しないアッパホースおよびロアホースによって構成される図示しない冷却水通路内を流れる冷却水の温度が高温になり、冷却水通路内の圧力が上昇したときに、開弁する。これにより、冷却水は、冷却水通路から外部ホース１１、連通パイプ６および内部ホース７を通して本体部２に流れ、本体部２に一時貯留される。
【００２３】
負圧弁は、冷却水通路を流れる冷却水の温度が高温から低温になり、冷却水通路内の圧力が低下したときに、開弁する。これにより、冷却水は、本体部２から内部ホース７、連通パイプ６および外部ホース１１を通して冷却水通路に流れ、冷却水通路が冷却水で満たされる。
【００２４】
本実施の形態のリザーブタンク１において、本体部２の内部に設置された内部ホース７の他端部がＬＯＷレベル２ｂよりも下方に延びているので、本体部２に充填される冷却水の水面が低い場合であっても、本体部２から冷却水を確実に吸い上げることができる。
このようにリザーブタンク１は、冷却水通路を流れる冷却水の温度変化によって生じる冷却水の体積の増減に対応して、冷却水を貯留する。
【００２５】
図３、図４において、本体部２の内部にはシール部材８が設けられており、シール部材８は、外周部８ａが注水口３Ａの内壁面３ａに密着している。図３において、シール部材８には貫通孔８ｂが形成されており、貫通孔８ｂには連通パイプ６が貫通している。
【００２６】
図５、図６において、シール部材８は、傾斜壁８Ａを備えており、傾斜壁８Ａは、シール部材８の外周部８ａよりも中心部８ｃが鉛直方向で低くなるように、外周部８ａから中心部８ｃに向かって傾斜する傘形状に形成されている。
すなわち、本実施の形態のシール部材８の下部にはシール部材８の外周部８ａよりも中心部８ｃが鉛直方向で低くなる傾斜壁８Ａが形成されている。ここで、傾斜壁８Ａの中心部８ｃは、平面に形成されており、中心部８ｃは、平面となる部位とその周囲の部位を含んで構成される。
【００２７】
シール部材８には複数の連通穴８ｄが形成されており、連通穴８ｄは、傾斜壁８Ａの中心部８ｃで、かつ、鉛直方向の最下部において、傾斜壁８Ａの上面８ｅ側と下面８ｆ側とを連通するように形成される。なお、本実施の形態のシール部材８において、注水口３Ａの内壁面３ａに密着する外周部８ａは、傾斜壁８Ａの外周部である。また、傾斜壁８Ａの上面８ｅは、本発明のシール部材８の上面を構成する。
【００２８】
図３〜図６において、シール部材８の上面には壁部８Ｂが形成されており、図３に示すように、壁部８Ｂは、シール部材８の上面８ｅを構成する傾斜壁８Ａの上面８ｅから連通穴８ｄと大気開放通路５ｃとの間の空間１２に突出している。なお、図３において、連通穴８ｄを仮想線で示す。
【００２９】
図３、図５、図６において、傾斜壁８Ａの上面８ｅには突部８Ｃが形成されており、突部８Ｃは、傾斜壁８Ａの上面８ｅから大気開放通路５ｃの開口端５ａに向かって突出している。なお、突部８Ｃの上端と、大気開放通路５ｃの開口端５ａとは、鉛直方向で略重なっている。
【００３０】
このような構成を有するリザーブタンク１は、車両の急発進、急停止および悪路走行等によって車体の揺動が大きい場合に本体部２の内部で冷却水が揺動し、この冷却水が大気開放通路５ｃから漏れるおそれがある。
【００３１】
これに対して、本実施の形態のリザーブタンク１によれば、本体部２の内部に設けられ、外周部８ａが注水口３Ａの内壁面３ａに密着するシール部材８を有し、シール部材８の下部に、シール部材８の外周部８ａよりも中心部８ｃが鉛直方向で低くなる傾斜壁８Ａが形成される。
【００３２】
これにより、図４に示すように、揺動によって本体部２から円筒部３の内壁面３ａを伝った冷却水Ｗ１を傾斜壁８Ａに衝突させ、傾斜壁８Ａの外周部８ａ側から中心部８ｃ側に導いた後に、落下させることができる。このため、冷却水が大気開放通路５ｃに指向することを防止できる。
【００３３】
また、本実施の形態のリザーブタンク１によれば、傾斜壁８Ａの中心部８ｃで、かつ、鉛直方向の最下部に、傾斜壁８Ａの上面８ｅ側と下面８ｆ側とを連通する連通穴８ｄが形成される。これにより、冷却水が連通穴８ｄを通して傾斜壁８Ａの上面８ｅに浸入することを防止できる。
【００３４】
また、仮に、冷却水が連通穴８ｄを通して傾斜壁８Ａの上面８ｅに浸入した場合であっても、冷却水を傾斜壁８Ａの上面８ｅに沿って連通穴８ｄに移動させた後、連通穴８ｄを通して落下させることができる。このため、揺動した冷却水が大気開放通路５ｃから漏れることをより効果的に防止できる。
以上の結果、冷却水の水面Ｗと大気開放通路５ｃとの距離が短くても、揺動した冷却水が大気開放通路５ｃから漏れることを防止でき、リザーブタンク１を小型化できる。
【００３５】
特に、本実施の形態のリザーブタンク１によれば、傾斜壁８Ａは、シール部材８の外周部８ａよりも中心部８ｃが鉛直方向で低くなるように、外周部８ａから中心部８ｃに向かって傾斜する傘形状に形成されている。
【００３６】
これにより、冷却水が連通穴８ｄを通して傾斜壁８Ａの上面８ｅに浸入した場合であっても、冷却水を傾斜壁８Ａの上面８ｅに沿って連通穴８ｄに移動させた後、連通穴８ｄを通して落下させることができる。このため、揺動した冷却水が大気開放通路５ｃから漏れることをより効果的に防止できる。
【００３７】
また、本実施気形態のリザーブタンク１によれば、傾斜壁８Ａの上面８ｅに壁部８Ｂを形成し、壁部８Ｂを、傾斜壁８Ａの上面８ｅから連通穴８ｄと大気開放通路５ｃとの間の空間１２に突出させた。
【００３８】
これにより、冷却水が連通穴８ｄを通して傾斜壁８Ａの上面８ｅに浸入した場合であっても、冷却水を壁部８Ｂに衝突させて大気開放通路５ｃに指向することを防止できる。このため、揺動した冷却水が大気開放通路５ｃから漏れることをより効果的に防止できる。
【００３９】
さらに、本実施の形態のリザーブタンク１によれば、大気開放通路５ｃが、本体部２の内部に開口する開口端５ａを有し、シール部材８の傾斜壁８Ａの上面８ｅに突部８Ｃを形成し、突部８Ｃを、傾斜壁８Ａの上面８ｅから大気開放通路５ｃの開口端５ａに向かって突出させた。
【００４０】
これにより、冷却水が連通穴８ｄを通して傾斜壁８Ａの上面８ｅに浸入した場合であっても、冷却水を突部８Ｃに衝突させて大気開放通路５ｃに浸入することを防止できる。このため、揺動した冷却水が大気開放通路５ｃから漏れることをより効果的に防止できる。
【００４１】
本発明の実施の形態を開示したが、当業者によっては本発明の範囲を逸脱することなく変更が加えられうることは明白である。すべてのこのような修正および等価物が次の請求項に含まれることが意図されている。
【符号の説明】
【００４２】
１...リザーブタンク、２...本体部、３Ａ...注水口、３ａ...内壁面、４...キャップ、５ｃ...大気開放通路、５ａ...開口端、８...シール部材、８Ａ...傾斜壁、８Ｂ...壁部、８Ｃ...突部、８ａ...外周部、８ｃ...中心部、８ｄ...連通穴、８ｅ...上面、８ｆ...下面、１２...空間
【図１】
2017008852.tif 000003
【図２】
2017008852.tif 000004
【図３】
2017008852.tif 000005
【図４】
2017008852.tif 000006
【図５】
2017008852.tif 000007
【図６】
2017008852.tif 000008